(57)【要約】【課題】住宅廃材からでる古材を利用し、環境保護に役立ち得る紙製品の製造方法及び紙製品を提供すること。【解決手段】紙製品１０１の製造方法は、植林材より得られる木材チップを使用せずに、住宅廃材から選別した古材より得られた木材チップ２０１のみを用いて、パルプをとるパルピング工程と、上記パルプを用いて紙製品１０１を製造する抄紙工程とを備える。また、上記古材から得られた木材チップ２０１は、古材から紙の原料として使用不能な古材を除き、古材のうち紙の原料として使用不能な部分を除き、及び、古材から釘や金具、塗料等の不純物を除いて得られた古材をチップ化してなる。【選択図】　　　　図２
2004084086.tif 000002
【特許請求の範囲】
【請求項１】
住宅廃材から選別した古材より得られた木材チップのみを用いて、パルプをとるパルピング工程と、
上記パルプを用いて紙製品を製造する抄紙工程と、
を備える紙製品の製造方法。
【請求項２】
請求項１に記載の紙製品の製造方法であって、
前記古材より得られた木材チップは、古材から使用不能な古材を除き、古材のうち使用不能な部分を除き、及び、古材から不純物を除いて得られた古材をチップ化してなる
紙製品の製造方法。
【請求項３】
紙を構成する繊維が、住宅廃材から選別した古材のみに由来する
紙製品。
【発明の詳細な説明】
【０００１】
【発明の属する技術分野】
本発明は、紙製品の製造方法及び紙製品に関し、特に、木材をパルプ化して紙製品を製造する紙製品の製造方法及び紙製品に関する。
【０００２】
【従来の技術】
現在、我が国では、森林資源保護等の立場から、紙のリサイクルが積極的に行われており、製紙原料のおよそ半分は古紙でまかなわれている。そして、我が国における古紙の利用率は、紙の生産上位国の中でも最も高いものとなっている。
また、森林資源保護等の観点から、木ではなく草から紙をつくることも検討されている。例えば、ケナフ、綿、麻、サトウキビの絞りカス、モロヘイヤ、トウモロコシ、稲わらなどが紙の原料となることが知られている。
【０００３】
【発明が解決しようとする課題】
しかしながら、古紙から作られる再生紙や草から作られる非木材紙と共に、これら以外にも環境保護に役立ち得る紙製品が望まれる。
【０００４】
本発明はかかる現状に鑑みてなされたものであって、環境保護に役立ち得る紙製品の製造方法及び紙製品を提供することを目的とする。
【０００５】
【課題を解決するための手段、作用及び効果】
その解決手段は、住宅廃材から選別した古材より得られた木材チップのみを用いて、パルプをとるパルピング工程と、上記パルプを用いて紙製品を製造する抄紙工程と、を備える紙製品の製造方法である。
【０００６】
本発明によれば、パルピング工程において、住宅廃材から選別した古材より得られた木材チップのみを用いてパルプをとる。即ち、通常、紙製品を製造する際に使用される植林材より得られた木材チップは使用しないで、住宅廃材から選別した古材より得られた木材チップのみを用いてパルプ化する。そして、その後の抄紙工程で、このパルプを用いて紙製品を製造する。
このように住宅廃材から選択した古材を利用すれば、植林材を使用しなくても済むので、環境保護に役立てることができる。また、本来廃棄処分される古材を有効利用することができる。
【０００７】
さらに、上記の紙製品の製造方法であって、前記古材より得られた木材チップは、古材から使用不能な古材を除き、古材のうち使用不能な部分を除き、及び、古材から不純物を除いて得られた古材をチップ化してなる紙製品の製造方法とすると良い。
【０００８】
本発明によれば、木材チップは、古材から使用不能な古材を除き、古材のうち使用不能な部分を除き、及び、古材から不純物を除いて得られた古材をチップ化してなる。
このようにすることにより、より良質な紙製品を製造することができる。また、予め不純物を除いているので、パルピング工程や抄紙工程等で不純物を除去することが不要となる。
ここで、不純物とは、例えば、古材に打たれた釘や古材に取り付けられた金具、古材に塗られた塗料や接着剤などを言う。
【０００９】
また、他の解決手段は、紙を構成する繊維が、住宅廃材から選別した古材のみに由来する紙製品である。
【００１０】
本発明の紙製品は、紙を構成する繊維が住宅廃材から選別した古材のみに由来している。即ち、通常、紙製品を製造する際に使用される植林材などは使用されていない。
このため、植林材を使用しなくても済むので、環境保護に役立てることができる。また、本来廃棄処分される古材を有効利用することができる。
【００１１】
【発明の実施の形態】
以下、本発明の実施の形態を、図を参照しつつ説明する。
本実施形態に係る紙製品１０１の例を図１に示す。このような紙製品１０１は、紙を構成する繊維が住宅廃材から選別した古材のみに由来している。即ち、通常、紙製品１０１を製造する際に使用される植林材などは使用されていない。
このため、植林材を使用しなくても済むので、環境保護に役立てることができる。また、本来廃棄処分される古材を有効利用することができる。
【００１２】
ここで、紙製品１０１としては、印刷・情報用紙、包装用紙、衛生用紙、雑種紙などの紙や、段ボール原紙、紙器用板紙などの板紙が挙げられる。
印刷・情報用紙とは、情報を記録し伝達するためのものであり、新聞紙、雑誌、コミック誌、ノート、ＯＡ用紙、小切手、紙幣、切手、塗工紙などである。また、包装用紙とは、物を包んで運ぶものであり、クラフト紙とロール紙がある。例えば、袋用紙、包み紙、ショッピングバッグ、封筒、薬品や菓子の袋などである。また、衛生用紙とは、液体や汚れを吸収したり、ふき取るものであり、ティッシュペーパー、トイレットペーパー、紙タオルなどである。また、雑種紙とは、特別な用途のために加工したもの等であり、加工原紙、フィルター（ライスペーパー）、書道半紙、テーバッグなどである。
段ボール原紙とは、主に段ボールを作るものであり、段ボールやパルプ芯などである。また、紙器用板紙とは、主に表面に白いさらしパルプを使った紙であり、絵はがき、カード類、紙器、化粧品等の高級化粧箱などである。また、その他、特別な用途のために加工した板紙として、建設用の防水原紙、布・テープ等の巻芯や紙筒などがある。
【００１３】
次いで、上記紙製品１０１のうち一般的な情報・印刷用紙の製造方法について説明する。
まず、住宅廃材から古材を分別する。そしてさらに、古材から紙製品１０１の原料として使用不能な古材を除く。また、原料として使用可能な古材であっても、使用不能な部分がある場合には、その部分を取り除く。さらに、古材に不純物が付いている場合には、即ち、古材に釘や金具が付いていたり、塗料や接着剤が塗られている場合などには、これらを古材から除去する。
続いて、上記のようにして選別した古材を、公知の方法により細かく削り、適当な大きさの木材チップ２０１とする。
【００１４】
次に、図２に示すように、パルピング工程において、木材チップ２０１から繊維を取り出す。
具体的には、本実施形態では、木材チップ２０１をチップサイロ２１１に投入し、その後、蒸解釜２２１において、木材チップ２０１をアルカリ薬品で処理して熱を加え、木材チップ２０１から繊維を取り出す。即ち、木材中のリグニンを溶かし出し、繊維だけを取り出す。
続いて、ウオッシャー装置２３１とスクリーン装置２４１を用いて、パルプを洗い、ゴミ等の余分なものを取り除く。
その後、漂白装置２５１を用いて、パルプの中の色の付いた物質を取り除き、パルプを漂白する。
【００１５】
次に、図３に示すように、抄紙工程において、漂白したパルプから紙製品１０１を製造する。
具体的には、本実施形態では、ワイヤーパート装置３０１を用いて、粘性をもった液状のパルプをワイヤー（プラスチック製の網）の上で同じ厚さに広げる。
続いて、プレスパート装置３１１を用いて、湿紙をローラでプレスして、水分を絞り取る。
続いて、ドライヤーパート装置３２１を用いて、プレス後の湿紙に熱を加えて乾かし、さらに水分を取り除く。
そして最後に、仕上がった紙を、例えば、リワインダー装置３３１を用いて巻き取ったり、あるいは、カッター装置３４１を用いてシート状に切断する。
このようにして、紙製品１０１が完成する。
【００１６】
以上で説明したように、紙製品１０１を製造するにあたり、木材チップには、古材由来の木材チップ２０１のみを用いている、即ち、植林材より得られる木材チップは使用しないで、住宅廃材から選別した古材より得られた木材チップ２０１のみを用いてパルプ化する。そして、その後の抄紙工程で、このパルプを用いて紙製品１０１を製造する。
このように住宅廃材から選択した古材を利用すれば、植林材を使用しなくても済むので、環境保護に役立てることができる。また、本来廃棄処分される古材を有効利用することができる。
【００１７】
また、本実施形態では、木材チップ２０１は、古材から使用不能な古材を除き、古材のうち使用不能な部分を除き、及び、古材から不純物を除いて得られた古材をチップ化してなる。
このようにすることにより、より良質な紙製品１０１を製造することができる。また、予め不純物を除いているので、パルピング工程や抄紙工程等でこのような不純物を除去するのを簡略し、あるいは、なくすことができる。
【００１８】
以上において、本発明を実施形態に即して説明したが、本発明は上記実施形態に限定されるものではなく、その要旨を逸脱しない範囲で、適宜変更して適用できることはいうまでもない。
例えば、上記実施形態のパルピング工程では、木材中のリグニンを溶かし出し、いわゆる化学パルプを取り出しているが、リグニンも一緒にすりおろした機械パルプを取り出すようにすることもできる。例えば、新聞用紙等の紙製品を製造する場合には、このような機械パルプがよく利用される。
【図面の簡単な説明】
【図１】実施形態に係る紙製品の説明図である。
【図２】実施形態に係る紙製品の製造方法に関し、パルピング工程を示す説明図である。
【図３】実施形態に係る紙製品の製造方法に関し、抄紙工程を示す説明図である。
【符号の説明】
１０１　　紙製品
２０１　　木材チップ
２１１　　チップサイロ
２２１　　蒸解釜
２３１　　ウオッシャー装置
２４１　　スクリーン装置
２５１　　漂白装置
３０１　　ワイヤーパート装置
３１１　　プレスパート装置
３２１　　ドライヤーパート装置
３３１　　リワインダー装置
３４１　　カッター装置
【図１】
2004084086.tif 000003
【図２】
2004084086.tif 000004
【図３】
2004084086.tif 000005